(57)【要約】【課題】蓋体の内面全体に付着している付着水が、本体ケーシング内に流下することを抑制し、本体ケーシングが早期に汚損されることを回避できる食器洗浄機を提供することにある。【解決手段】上部が開口された洗浄槽２が、本体ケーシング１に対して、水平又は略水平方向に挿脱自在に構成され、その洗浄槽２における上部の開口部を開閉する蓋体１０が、洗浄槽２が本体ケーシング１内に収納されると開口部を閉じ、且つ、洗浄槽２が本体ケーシング１から引き出されたきには開口部を開くように開閉操作される状態で、本体ケーシング１の上部に設けられ、蓋体１０が、開き状態において、その内面が一側方ほど下位となる傾斜姿勢になるように構成されて、その内面に付着した付着水２３を、傾斜姿勢の下位側に流動させて洗浄槽２内に流下させるように構成されている。【選択図】図１１
2010279822.tif 000002
【特許請求の範囲】
【請求項１】
上部が開口された洗浄槽が、本体ケーシングに対して、水平又は略水平方向に挿脱自在に構成され、
その洗浄槽における上部の開口部を開閉する蓋体が、前記洗浄槽が前記本体ケーシング内に収納されると前記開口部を閉じ、且つ、前記洗浄槽が前記本体ケーシングから引き出されたきには前記開口部を開くように開閉操作される状態で、前記本体ケーシングの上部に設けられた食器洗浄機であって、
前記蓋体が、前記開き状態において、その内面が一側方ほど下位となる傾斜姿勢になるように構成されて、その内面に付着した付着水を、傾斜姿勢の下位側に流動させて前記洗浄槽内に流下させるように構成され、
前記本体ケーシング側に保持されて、前記洗浄槽の前記開口部に対する上下方向に前記蓋体を案内移動させる案内体が、前記洗浄槽の収納移動に伴って前記開口部の閉じ状態に案内移動させ、前記洗浄槽の引き出し移動に伴って、前記傾斜姿勢の開き状態に案内移動させるように構成されている食器洗浄機。
【請求項２】
前記開き状態における蓋体の内面が、前記傾斜姿勢として、前方側ほど下位となる傾斜姿勢になるように構成され、
前記蓋体が、前記開き状態において、その内面の前端部が引き出された洗浄槽の上部に重複位置するように構成されて、前記傾斜姿勢の内面の下位側に流動される付着水を、自重落下により前記洗浄槽内に流下させるように構成されている請求項１記載の食器洗浄機。
【請求項３】
前記案内体と、それにて案内移動される前記蓋体側の被案内体のうち、いずれか一方がカム部材で、他方がカムフォロアで構成されている請求項１又は２記載の食器洗浄機。
【発明の詳細な説明】
【技術分野】
【０００１】
本発明は、上部が開口された洗浄槽が、本体ケーシングに対して、水平又は略水平方向に挿脱自在に構成され、その洗浄槽における上部の開口部を開閉する蓋体が、前記洗浄槽が前記本体ケーシング内に収納されると前記開口部を閉じ、且つ、前記洗浄槽が前記本体ケーシングから引き出されたきには前記開口部を開くように開閉操作される状態で、前記本体ケーシングの上部に設けられた食器洗浄機に関する。
【背景技術】
【０００２】
かかる食器洗浄機は、洗浄槽を本体ケーシングから引き出して、食器等の洗浄対象物を洗浄槽に入れたり洗浄槽から出したりし、洗浄対象物を収納した洗浄槽を本体ケーシングに収納して、洗浄槽内に洗浄液を噴出させて、洗浄対象物を洗浄するものである。また、本体ケーシング内の底面部は、本体ケーシング内の空間に対して露出するようになっている。
そして、例えば特許文献１に記載されているように、洗浄槽上部を開閉する蓋体が、リンク機構によって上下方向に水平姿勢を維持しながら移動するように構成され、開き方向へ付勢されるような付勢手段が備えられ、洗浄槽を引き出すと付勢力によって蓋体が開き、本体ケーシング内上部に略水平な状態で保持されるようになっている。また、洗浄槽を収納すると、蓋体が水平姿勢で洗浄槽の上部を閉じるようになっている。
【先行技術文献】
【特許文献】
【０００３】
【特許文献１】特開２００１−４６３０３号公報
【発明の概要】
【発明が解決しようとする課題】
【０００４】
食器洗浄機においては、洗浄運転中には、図１４（イ）に示すように、洗浄運転中に蓋体１０の内面に洗浄液が付着し、洗浄運転の途中で、洗浄対象物の出し入れを行うと、図１４（ロ）に示すように、蓋体の内面に多量に付着水が付着している状態で、洗浄槽が本体ケーシングから引き出されることとなり、蓋体は本体ケーシング内の上部に水平な状態で残り、蓋体の内面においても水平な状態となるので、内面に付着した多量の付着水が流動されず、蓋体の内面全体から本体ケーシング内に流下することになる。
そして、このように付着水が本体ケーシング内の底面部に多量に落ちる状態が繰り返されると、時間経過に伴って、例えば本体ケーシングが鋼材等の金属で形成されているときは腐食し、樹脂等で形成されているときはカビが発生するなど、本体ケーシングが早期に汚損されてしまうおそれがある。
因みに、本体ケーシングが鋼材等の金属、又は、樹脂等で形成され、本体ケーシングに流下する洗浄液が水の場合でも、汚損されるものであり、また、洗浄条件により、洗浄液として酸性、アルカリ性を有するものなど種々のものが用いられると、酸性、アルカリ性の洗浄液は、一層汚損作用を促進させるものであり、これらの洗浄液が本体ケーシングに流下した場合は、汚損が一層早期に発生するものとなる。
また、特開２０００−１６６８５０号公報に記載されているように、食器洗浄槽の奥側の上部に水滴除去手段としてのワイパーブレードを設けて、洗浄槽が引き出されるに伴って、蓋体の内面に付着した付着水を掻き取り除去する手段が提案されているが、掻き取りミスにより掻き取り残しが生じて、残った付着水が流下する問題もあった。
本発明は、かかる実情に鑑みてなされたものであり、その目的は、蓋体の内面全体に付着している付着水が、本体ケーシング内に流下することを抑制し、本体ケーシングが早期に汚損されることを回避できる食器洗浄機を提供することにある。
【課題を解決するための手段】
【０００５】
〔請求項１記載の発明〕
請求項１に記載の発明は、上部が開口された洗浄槽が、本体ケーシングに対して、水平又は略水平方向に挿脱自在に構成され、その洗浄槽における上部の開口部を開閉する蓋体が、前記洗浄槽が前記本体ケーシング内に収納されると前記開口部を閉じ、且つ、前記洗浄槽が前記本体ケーシングから引き出されたきには前記開口部を開くように開閉操作される状態で、前記本体ケーシングの上部に設けられた食器洗浄機であって、前記蓋体が、前記開き状態において、その内面が一側方ほど下位となる傾斜姿勢になるように構成されて、その内面に付着した付着水を、傾斜姿勢の下位側に流動させて前記洗浄槽内に流下させるように構成されている点を特徴とする。
【０００６】
すなわち、洗浄槽における上部の開口部を開閉する蓋体が、洗浄槽を本体ケーシングから引き出し、洗浄槽の上部開口部を開くように操作された開き状態では、その内面が一側方ほど下位となるように構成されているので、開き状態において、蓋体の内面全体に付着した付着水が、傾斜姿勢の下位側へ内面を伝って流下して集約され、その集約された位置から洗浄槽に流下されることとなる。
【０００７】
従って、洗浄運転の途中で洗浄槽を本体ケーシングから引き出し、洗浄液が蓋体の内面に多量に付着している状態であっても、蓋体の内面に付着した多量の付着水が蓋体の内面全体から本体ケーシング内に流下することを抑制できることとなり、本体ケーシングが早期に汚損されることを回避することができるようになる。
【０００８】
〔請求項２記載の発明〕
請求項２に記載の発明は、前記開き状態における蓋体の内面が、前記傾斜姿勢として、前方側ほど下位となる傾斜姿勢になるように構成され、前記蓋体が、前記開き状態において、その内面の前端部が引き出された洗浄槽の上部に重複位置するように構成されて、前記傾斜姿勢の内面の下位側に流動される付着水を、自重落下により前記洗浄槽内に流下させるように構成されている点を特徴とする。
【０００９】
すなわち、洗浄槽が本体ケーシングから引き出され、洗浄槽の前後移動方向において許容されている範囲の最前方に位置し、蓋体が開口部を開くようになった開き状態において、蓋体の内面が、前方側ほど下位となる傾斜姿勢になり、その内面の前端部が洗浄槽の上部に重複位置するように構成されているので、開き状態においては、蓋体の内面に付着した付着水が蓋体の内面の前方側に流動され、内面前端部から洗浄槽内へ自重落下によって流下することになる。
【００１０】
従って、蓋体の内面に付着した付着水を洗浄槽内へ流下させるのに、食器洗浄機を構成するために本来的に備えさせている部品を利用して、付着水を流動させているので、新たな部品を付加することなく、簡素な構成で実施できる。
【００１１】
〔請求項３記載の発明〕
請求項３に記載の発明は、前記蓋体が、前記洗浄槽の前記開口部に対して上下方向に移動されて開閉されるように構成され、且つ、前記閉じ状態から前記開き状態に操作されるときに、その一側方ほど下位となる傾斜姿勢に操作されて、その内面が前記傾斜姿勢になるように構成されている点を特徴とする。
【００１２】
すなわち、蓋体が、閉じ状態から開き状態に操作されるときに、蓋体が上下方向に移動されながら一側方ほど下位となる傾斜姿勢になるように構成されていることによって、蓋体の内面が、開き状態において、傾斜姿勢になるので、開き状態において、蓋体の内面に付着した付着水が、蓋体の内面の下位側に流動されることになる。
【００１３】
従って、食器洗浄機に備えられている蓋体を上下方向に移動させる構成を利用して、本体ケーシングへの付着水の流下を抑制することができるようになるので、実施製作が容易なものである。
【００１４】
〔請求項４記載の発明〕
請求項４に記載の発明は、前記蓋体が、前記洗浄槽の前記開口部に対して上下方向に平行又は略平行する状態で移動されて開閉されるように構成され、その蓋体の内面が前記開き状態及び前記閉じ状態のいずれにおいても前記傾斜姿勢となるように構成されている点を特徴とする。
【００１５】
すなわち、蓋体の内面が、開き状態及び閉じ状態のいずれにおいても、傾斜姿勢となることによって、常に蓋体の内面に付着した付着水を傾斜姿勢の下位側に流動させ、洗浄槽内に流下させることになるので、閉じ状態における、蓋体の内面に付着する付着水の量を少なくするものとなる。
【００１６】
従って、内面に付着水が多量に付着するのを抑制できるものとなり、付着水が本体ケーシングへ流下することを抑制する効果が一層高くなるとともに、洗浄運転後に乾燥運転を行うときにも、食器に付着水が流下して乾燥が不十分になることも抑制できるものとなる。
【００１７】
〔請求項５記載の発明〕
請求項５に記載の発明は、前記ケーシング側に保持されて、前記洗浄槽の前記開口部に対する上下方向に前記蓋体を案内移動させる案内体が、前記洗浄槽の収納移動に伴って前記開口部の閉じ状態に案内移動させ、前記洗浄槽の引き出し移動に伴って、前記傾斜姿勢の開き状態に案内移動させるように構成されている点を特徴とする。
【００１８】
すなわち、洗浄槽の収納移動及び引き出し移動の動作をすることにより、蓋体の開閉が行われるようになる。
【００１９】
従って、蓋体の開閉を洗浄槽の引き出し及び収納に伴って適切に操作できるようになる。
【００２０】
〔請求項６記載の発明〕
請求項６に記載の発明は、前記案内体と、それにて案内移動される前記蓋体側の被案内体のうち、いずれか一方がカム部材で、他方がカムフォロアで構成されている点を特徴とする。
【００２１】
すなわち、洗浄槽の水平方向の移動に伴う蓋体の開閉が、カム部材とカムフォロアからなるカム作用によって定められた軌跡に沿って、蓋体が上下及び前後方向に移動することになる。
【００２２】
従って、案内体と被案内体とをリンク機構によって連動させることもできるが、その場合には、リンク機構が複雑となり、コストアップの原因となる虞もあるが、カム部材とカムフォロアからなるカム機構を採用することにより、簡素な構造で円滑な動作を得ることができる。
そして、請求項３との組み合わせにおいては、閉じ状態から開き状態に操作されるときに、蓋体が一側方ほど下位となる傾斜姿勢になるようにさせる構成も容易となり、さらに傾斜姿勢の角度設定や上下方向の移動範囲も容易に調整できるものとなる。
【図面の簡単な説明】
【００２３】
【図１】食器洗浄機の全体斜視図
【図２】食器洗浄機の縦断側面図
【図３】食器洗浄機の要部の縦断側面図
【図４】食器洗浄機の開き状態の要部の縦断側面図
【図５】食器洗浄機の要部の横断側面図
【図６】クランプ部材と保持舌片の斜視図
【図７】クランプ部材の動作を示す側面図
【図８】前後クランプ部材の斜視図
【図９】蓋体の内面図
【図１０】蓋体の横断側面図
【図１１】第１実施形態の食器洗浄機の縦断側面図
【図１２】第２実施形態の食器洗浄機の要部の縦断側面図
【図１３】第２実施形態の食器洗浄機の縦断側面図
【図１４】従来技術における食器洗浄機の縦断側面図
【発明を実施するための形態】
【００２４】
以下、本発明の食器洗浄機の実施形態を図面に基づいて説明する。
〔第１実施形態〕
本発明の食器洗浄機は、図１、２に示すように、金属製の板材などで形成されて、前面が開口する箱状の本体ケーシング１を備え、かつ、本体ケーシング１の内側の収納空間内に水平又は略水平方向に挿脱自在な上部が開口された洗浄槽２を備えている。
洗浄槽２の下方には、洗浄ポンプ３などが、洗浄槽２の内部には、洗浄ノズル４やヒータ５などが配置されて、それぞれ洗浄槽２に一体的に組み付けられ、かつ、洗浄槽２の内部には、食器などを収納載置する洗浄かご６が取り出し自在に収納されている。
【００２５】
食器洗浄機の正面視において、本体ケーシング１の内側には、レールなどで構成された左右一対のスライド機構７が設けられ、その左右一対のスライド機構７を介して、前記洗浄槽２が、本体ケーシング１の収納空間に対して、矢印Ａで示す収納移動方向へのスライド移動と、矢印Ｂで示す引き出し移動方向へのスライド移動が水平又は略水平方向に挿脱自在なように構成されている。
そして、洗浄槽２の前面には、把手８などを備えた本体蓋９が取り付けられていて、引き出し移動方向Ｂへスライド移動させることで、図１に示すように、洗浄槽２が前面側に引き出されて、食器や洗浄かご６を取り出したり収納したりできるように構成され、また、収納移動方向Ａへスライド移動させることで、図２に示すように、本体ケーシング１内に洗浄槽２を収納して、食器を洗浄したり乾燥したりできるように構成され、その食器洗浄時などにおいて、洗浄槽２からの洗浄水の飛散を防止するための蓋体１０が、本体ケーシング１内側の上部に配設されている。
【００２６】
また、蓋体１０においては、図９、１０に示すように、内面を概ね波板状になるように形成して、蓋体１０の内面に、複数（本実施形態では４本）の突条部２２が並設されるように構成してある。この略波板状に形成するに当たっては、谷部に相当する部分を略Ｖ字状になるようにして、突条部２２の下端が尖るように構成されている。
【００２７】
そして、前記突条部２２を並設するに当たっては、突条部２２の長手方向が、本体ケーシング１に対する洗浄槽２の移動方向に沿うと共に、突条部２２の並び方向両端の突条部２２夫々は、洗浄槽２の開口部を閉じたときに洗浄槽２の開口部の口縁部に対向する部分と間隔が開き、且つ、各突条部２２の長手方向の前端部は、洗浄槽２が開き状態において、引き出された洗浄槽２の上部に重複位置するように構成されている。
【００２８】
前記蓋体１０は、合成樹脂製で、図３、４、５に詳しく示すように、その後端には、下方へ突出する突出部１１が一体的に設けられ、その左右の両縁部には、金属製の縁部材１２が取り付けられていて、その左右の縁部材１２の前部及び後部には、後に詳しく説明するように、被案内体であるカムフォロアとして機能する前後のピン１３Ａ、１３Ｂが、左右外側に突出するように２本ずつ設けられている。更に、縁部材１２の上方には、係止部１４がそれぞれ設けられて、左右一対の係止部１４と本体ケーシング１との間に、蓋体１０を前面上方側に付勢するためのコイルスプリングからなる蓋用スプリング１５が介装され、蓋体１０の内面には、外周に沿って弾性材からなるシール部材１６が取り付けられている。
また、本体ケーシング１の左右内側には、本体ケーシング１を形成する板材を切り出して形成された前後一対の保持舌片１７Ａ、１７Ｂが、蓋体１０側のピン１３Ａ、１３Ｂに対応するように４対設けられ、各対の保持舌片１７Ａ、１７Ｂによって、ピン１３Ａ、１３Ｂと協働する案内体としての前後のクランプ部材１８Ａ、１８Ｂが、矢印Ｃで示す洗浄槽２の上部開口部に対する蓋体１０の開閉方向に移動自在に保持されている。
【００２９】
前記前後のクランプ部材１８Ａ、１８Ｂは、合成樹脂や金属製の成形品で構成され、図６に示すように、その上部には、蓋体１０側のピン１３Ａ、１３Ｂが嵌入するカム部材として機能するカム溝１９Ａ、１９Ｂが設けられ、カム溝１９Ａ、１９Ｂの下方には、一対の保持舌片１７Ａ、１７Ｂの上縁に接当して保持される保持片２０Ａ、２０Ｂが設けられている。
【００３０】
前記カム溝１９Ａ、１９Ｂは、図７に示すように、洗浄槽２が本体ケーシング１内に収納されたときにピン１３Ａ、１３Ｂが位置する最下方位置ａと、洗浄槽２が本体ケーシング１から引き出されたときに位置する最上方位置ｂとにわたって傾斜状に設けられ、かつ、クランプ部材１８Ａ、１８Ｂの上下方向の中心線Ｌ上に前記最下方位置ａが位置する状態で、互いに連続して左右に一対すつ設けられるとともに、クランプ部材１８Ａ、１８Ｂそのものも中心線Ｌを中心として左右対称形に構成されている。
そして、このようなクランプ部材１８Ａ、１８Ｂが、本体ケーシング１の左右内側に設けられた４対の保持舌片１７Ａ、１７Ｂによって、それぞれカム溝１９Ａ、１９Ｂなどを内側に向けた状態で、開閉方向Ｃに移動自在に保持されるとともに、各クランプ部材１８Ａ、１８Ｂのカム溝１９Ａ、１９Ｂにピン１３Ａ、１３Ｂが嵌入されている。
【００３１】
このような構成によって、洗浄槽２を本体ケーシング１内の収納空間に収納されると、図７（イ）に示すように、洗浄槽２の押圧部材２１が、蓋体１０の突出部１１に接当して収納移動方向Ａ側に押圧しているので、蓋体１０から突出する合計４本のピン１３Ａ、１３Ｂが、各クランプ部材１８Ａ、１８Ｂのカム溝１９Ａ、１９Ｂ内における最下方位置ａに位置して、蓋体１０が洗浄槽２の上部開口部を閉じる。
【００３２】
この収納状態から洗浄槽２を引き出し移動方向Ｂ側へ引き出すと、図７（ロ）に示すように、押圧部材２１の移動に伴って、蓋用スプリング１５の付勢力により蓋体１０が引き出し方向Ｂ側に移動されるとともに、４本のピン１３Ａ、１３Ｂが、各カム溝１９Ａ、１９Ｂ内において引き出し方向Ｂ側に移動される。
そして、図７（ハ）に示すように、４本のピン１３Ａ、１３Ｂが、各カム溝１９Ａ、１９Ｂ内における最上方位置ｂにまで移動するとともに、蓋体１０による洗浄槽２の上部開口部を開くように操作され、図１に示すように、洗浄槽２が本体ケーシング１から引き出される。
【００３３】
図８に示すように、保持舌片１７Ａ、１７Ｂの上縁に保持片２０Ａ、２０Ｂが接当してクランプ部材１８Ａ、１８Ｂが保持されているときは、ピン１３Ａ、１３Ｂが移動する最下方位置ａの位置は同じ高さになり、洗浄槽２が引き出されて、ピン１３Ａ、１３Ｂが最上方位置ｂの位置に移動したときは、１３Ｂの方が１３Ａよりも高くなるように、前後の保持舌片１７Ａ、１７Ｂ、及び、前後のクランプ材１８Ａ、１８Ｂのカム溝１９Ａ，１９Ｂが形成されている。
【００３４】
つまり、洗浄槽２の上部開口部を閉じるように操作された閉じ状態においては、図１１（イ）に示すように、蓋体１０が略水平な姿勢で洗浄槽２の上部開口部を閉じることとなり、洗浄槽２の上部開口部を開くように操作された開き状態においては、図１１（ロ）に示すように、蓋体１０が閉じ状態の位置から洗浄槽２の開口部に対して上方に移動され、前方が下位となるような傾斜姿勢で、本体ケーシングの上部に保持されて、洗浄槽２の開口部を開くこととなり、蓋体１０が傾斜姿勢であることによって内面も傾斜姿勢となり、この内面の傾斜によって、蓋体１０の内面に付着した付着水２３は、突条部２２に向かって流動するとともに、突条部２２に沿って傾斜姿勢の下位側へ流れ、突条部２２の前端部から自重落下により洗浄槽２へ流下させるようになる。
【００３５】
従って、第１実施形態は、洗浄槽２を引き出して開き状態にして、蓋体１０の内面全体に多量に付着水２３が付着した場合に、蓋体１０の内面全体に付着した付着水２３を前方側へ誘導し、洗浄槽２へ流下させるようにして、付着水が本体ケーシング１への流下を抑制し、本体ケーシング１が早期に汚損されることを回避できるものである。
【００３６】
〔第２実施形態〕
第１実施形態においては、蓋体１０を開き状態において傾斜姿勢にすることによって、蓋体内面が傾斜姿勢となるようにしたのに対して、第２実施形態にかかる食器洗浄機は、蓋体１０が、開口部に対して上下方向に平行又は略平行する状態で移動されて開閉され、蓋体の内面は常に傾斜姿勢となるように構成されているものである。
【００３７】
すなわち、図１２に示すように、保持舌片１７Ａ、１７Ｂ、及び、前後のクランプ材１８Ａ、１８Ｂのカム溝１９Ａ，１９Ｂを同一仕様のものとし、閉じ状態における４本のピン１３Ａ、１３Ｂの最下方位置ａの高さが同じ高さとなるように構成し、開き状態における４本のピン１３Ａ、１３Ｂの最上方位置ｂが同じ高さとなるように構成されることによって、洗浄槽２の開口部に対して上下方向に平行又は略平行する状態で移動されて開閉されるように構成されている。
また、蓋体１０が水平な状態でも、内面が前方側ほど下位となる傾斜姿勢となるように、蓋体１０の内面は傾きを持たせて形成されている。
【００３８】
つまり、洗浄槽２の上部開口部を閉じるように操作された閉じ状態においては、図１３（イ）に示すように、蓋体１０は略水平な姿勢で洗浄槽２の上部開口部を閉じているものの、蓋体１０の内面は、前方側ほど下位となる傾斜姿勢になっており、内面の傾斜によって突条部２２に向かって流動するとともに、突条部２２に沿って傾斜姿勢の下位側へ流れ、突条部２２の前端部から自重落下により洗浄槽２へ流下させるようになる。
洗浄槽２の上部開口部を開くように操作された開き状態においては、図１３（ロ）に示すように、蓋体１０が前記閉じ状態のときの位置から洗浄槽２の開口部に対して上方に移動され、略水平な姿勢で、本体ケーシングの上部に保持されて、洗浄槽２の開口部を開くこととなり、蓋体１０の内面に付着した付着水２３は、内面の傾斜によって突条部２２に向かって流動するとともに、突条部２２に沿って傾斜姿勢の下位側へ流れ、突条部２２の前端部から自重落下により洗浄槽２へ流下させるようになる。
【００３９】
従って、第２実施形態は、閉じ状態であっても内面に付着した付着水２３を、洗浄槽内に流下させるので、内面に付着する付着水２３の量を軽減することになり、洗浄運転中に開き状態にしても、内面に付着する付着水２３量を抑制することができ、本体ケーシング１への付着水の流下を抑制するために大きな効果を得るものとなり、本体ケーシング１が早期に汚損することを回避するとともに、洗浄運転後に乾燥運転を行うときにも、食器に付着水２３が流下して乾燥が不十分になることも抑制できるものである。
【００４０】
〔別実施形態〕
（１）本発明を実施するに、実施形態１の構成と、実勢形態２の構成を組み合わせて、蓋体の内面が閉じ状態において傾斜姿勢となるようにし、さらに、開き状態において、蓋体が傾斜姿勢になるように構成してもよい。
【００４１】
（２）蓋体の内面に圧接して移動するワイパーブレードを、洗浄槽に設け、洗浄槽を引き出すことによりワイパーブレードで内面に付着した付着水を除去する構成を、先の実施形態に組み合わせて実施することもできる。
【００４２】
（３）先の実施形態では、内面の形状を略波板状になるように形成し、その突条部においては、突条部を直線状に備え、谷部に相当する部分を略Ｖ字状になるようにして、突条部の下端が尖るように構成したが、これに限定されるものではない。
例えば、突条部の下端が円弧状の曲面にて構成させても良い。あるいは、突条部を備えない平らな平面状にて形成しても良い。
【００４３】
（４）先の実施形態では、洗浄槽を引き出し移動方向Ｂ側へ引き出した開き状態において、蓋体の前記内面の前端部が引き出された洗浄槽の上部に重複するように構成させ、蓋体の内面の前端部から直接洗浄槽へ付着水を流下させるように構成した例を示したが、内面の前端部と引き出された洗浄槽の上部とを重複させることなく、樋などを介在させて蓋体の内面から洗浄槽へ付着水を流し込ませることもできる。
【符号の説明】
【００４４】
１              本体ケーシング
２              洗浄槽
１０            蓋体
１３Ａ、１３Ｂ  カムフォロア
１９Ａ、１９Ｂ  カム部材
２３            付着水
【図１】
2010279822.tif 000003
【図２】
2010279822.tif 000004
【図３】
2010279822.tif 000005
【図４】
2010279822.tif 000006
【図５】
2010279822.tif 000007
【図６】
2010279822.tif 000008
【図７】
2010279822.tif 000009
【図８】
2010279822.tif 000010
【図９】
2010279822.tif 000011
【図１０】
2010279822.tif 000012
【図１１】
2010279822.tif 000013
【図１２】
2010279822.tif 000014
【図１３】
2010279822.tif 000015
【図１４】
2010279822.tif 000016
【手続補正書】
【提出日】平成22年10月1日(2010.10.1)
【手続補正１】
【補正対象書類名】明細書
【補正対象項目名】０００４
【補正方法】変更
【補正の内容】
【０００４】
食器洗浄機においては、洗浄運転中には、図１２（イ）に示すように、洗浄運転中に蓋体１０の内面に洗浄液が付着し、洗浄運転の途中で、洗浄対象物の出し入れを行うと、図１２（ロ）に示すように、蓋体の内面に多量に付着水が付着している状態で、洗浄槽が本体ケーシングから引き出されることとなり、蓋体は本体ケーシング内の上部に水平な状態で残り、蓋体の内面においても水平な状態となるので、内面に付着した多量の付着水が流動されず、蓋体の内面全体から本体ケーシング内に流下することになる。
そして、このように付着水が本体ケーシング内の底面部に多量に落ちる状態が繰り返されると、時間経過に伴って、例えば本体ケーシングが鋼材等の金属で形成されているときは腐食し、樹脂等で形成されているときはカビが発生するなど、本体ケーシングが早期に汚損されてしまうおそれがある。
因みに、本体ケーシングが鋼材等の金属、又は、樹脂等で形成され、本体ケーシングに流下する洗浄液が水の場合でも、汚損されるものであり、また、洗浄条件により、洗浄液として酸性、アルカリ性を有するものなど種々のものが用いられると、酸性、アルカリ性の洗浄液は、一層汚損作用を促進させるものであり、これらの洗浄液が本体ケーシングに流下した場合は、汚損が一層早期に発生するものとなる。
また、特開２０００−１６６８５０号公報に記載されているように、食器洗浄槽の奥側の上部に水滴除去手段としてのワイパーブレードを設けて、洗浄槽が引き出されるに伴って、蓋体の内面に付着した付着水を掻き取り除去する手段が提案されているが、掻き取りミスにより掻き取り残しが生じて、残った付着水が流下する問題もあった。
本発明は、かかる実情に鑑みてなされたものであり、その目的は、蓋体の内面全体に付着している付着水が、本体ケーシング内に流下することを抑制し、本体ケーシングが早期に汚損されることを回避できる食器洗浄機を提供することにある。
【手続補正２】
【補正対象書類名】明細書
【補正対象項目名】０００５
【補正方法】変更
【補正の内容】
【０００５】
〔請求項１記載の発明〕
請求項１に記載の発明は、上部が開口された洗浄槽が、本体ケーシングに対して、水平又は略水平方向に挿脱自在に構成され、その洗浄槽における上部の開口部を開閉する蓋体が、前記洗浄槽が前記本体ケーシング内に収納されると前記開口部を閉じ、且つ、前記洗浄槽が前記本体ケーシングから引き出されたきには前記開口部を開くように開閉操作される状態で、前記本体ケーシングの上部に設けられた食器洗浄機であって、前記蓋体が、前記開き状態において、その内面が一側方ほど下位となる傾斜姿勢になるように構成されて、その内面に付着した付着水を、傾斜姿勢の下位側に流動させて前記洗浄槽内に流下させるように構成され、
前記本体ケーシング側に保持されて、前記洗浄槽の前記開口部に対する上下方向に前記蓋体を案内移動させる案内体が、前記洗浄槽の収納移動に伴って前記開口部の閉じ状態に案内移動させ、前記洗浄槽の引き出し移動に伴って、前記傾斜姿勢の開き状態に案内移動させるように構成されている点を特徴とする。
【手続補正３】
【補正対象書類名】明細書
【補正対象項目名】０００７
【補正方法】変更
【補正の内容】
【０００７】
従って、洗浄運転の途中で洗浄槽を本体ケーシングから引き出し、洗浄液が蓋体の内面に多量に付着している状態であっても、蓋体の内面に付着した多量の付着水が蓋体の内面全体から本体ケーシング内に流下することを抑制できることとなり、本体ケーシングが早期に汚損されることを回避することができるようになる。
また、洗浄槽の収納移動及び引き出し移動の動作をすることにより、蓋体の開閉が行われるようになる。
従って、蓋体の開閉を洗浄槽の引き出し及び収納に伴って適切に操作できるようになる。
【手続補正４】
【補正対象書類名】明細書
【補正対象項目名】００１１
【補正方法】削除
【補正の内容】
【手続補正５】
【補正対象書類名】明細書
【補正対象項目名】００１２
【補正方法】削除
【補正の内容】
【手続補正６】
【補正対象書類名】明細書
【補正対象項目名】００１３
【補正方法】削除
【補正の内容】
【手続補正７】
【補正対象書類名】明細書
【補正対象項目名】００１４
【補正方法】削除
【補正の内容】
【手続補正８】
【補正対象書類名】明細書
【補正対象項目名】００１５
【補正方法】削除
【補正の内容】
【手続補正９】
【補正対象書類名】明細書
【補正対象項目名】００１６
【補正方法】削除
【補正の内容】
【手続補正１０】
【補正対象書類名】明細書
【補正対象項目名】００１７
【補正方法】削除
【補正の内容】
【手続補正１１】
【補正対象書類名】明細書
【補正対象項目名】００１８
【補正方法】削除
【補正の内容】
【手続補正１２】
【補正対象書類名】明細書
【補正対象項目名】００１９
【補正方法】削除
【補正の内容】
【手続補正１３】
【補正対象書類名】明細書
【補正対象項目名】００２０
【補正方法】変更
【補正の内容】
【００２０】
〔請求項３記載の発明〕
請求項３に記載の発明は、前記案内体と、それにて案内移動される前記蓋体側の被案内体のうち、いずれか一方がカム部材で、他方がカムフォロアで構成されている点を特徴とする。
【手続補正１４】
【補正対象書類名】明細書
【補正対象項目名】００２２
【補正方法】変更
【補正の内容】
【００２２】
従って、案内体と被案内体とをリンク機構によって連動させることもできるが、その場合には、リンク機構が複雑となり、コストアップの原因となる虞もあるが、カム部材とカムフォロアからなるカム機構を採用することにより、簡素な構造で円滑な動作を得ることができる。
そして、閉じ状態から開き状態に操作されるときに、蓋体が一側方ほど下位となる傾斜姿勢になるようにさせる構成も容易となり、さらに傾斜姿勢の角度設定や上下方向の移動範囲も容易に調整できるものとなる。
【手続補正１５】
【補正対象書類名】明細書
【補正対象項目名】００２３
【補正方法】変更
【補正の内容】
【００２３】
【図１】食器洗浄機の全体斜視図
【図２】食器洗浄機の縦断側面図
【図３】食器洗浄機の要部の縦断側面図
【図４】食器洗浄機の開き状態の要部の縦断側面図
【図５】食器洗浄機の要部の横断側面図
【図６】クランプ部材と保持舌片の斜視図
【図７】クランプ部材の動作を示す側面図
【図８】前後クランプ部材の斜視図
【図９】蓋体の内面図
【図１０】蓋体の横断側面図
【図１１】第１実施形態の食器洗浄機の縦断側面図
【図１２】従来技術における食器洗浄機の縦断側面図
【手続補正１６】
【補正対象書類名】明細書
【補正対象項目名】００３６
【補正方法】削除
【補正の内容】
【手続補正１７】
【補正対象書類名】明細書
【補正対象項目名】００３７
【補正方法】削除
【補正の内容】
【手続補正１８】
【補正対象書類名】明細書
【補正対象項目名】００３８
【補正方法】削除
【補正の内容】
【手続補正１９】
【補正対象書類名】明細書
【補正対象項目名】００３９
【補正方法】削除
【補正の内容】
【手続補正２０】
【補正対象書類名】明細書
【補正対象項目名】００４０
【補正方法】変更
【補正の内容】
【００４０】
〔別実施形態〕
【手続補正２１】
【補正対象書類名】明細書
【補正対象項目名】００４１
【補正方法】変更
【補正の内容】
【００４１】
（１）蓋体の内面に圧接して移動するワイパーブレードを、洗浄槽に設け、洗浄槽を引き出すことによりワイパーブレードで内面に付着した付着水を除去する構成を、先の実施形態に組み合わせて実施することもできる。
【手続補正２２】
【補正対象書類名】明細書
【補正対象項目名】００４２
【補正方法】変更
【補正の内容】
【００４２】
（２）先の実施形態では、内面の形状を略波板状になるように形成し、その突条部においては、突条部を直線状に備え、谷部に相当する部分を略Ｖ字状になるようにして、突条部の下端が尖るように構成したが、これに限定されるものではない。
例えば、突条部の下端が円弧状の曲面にて構成させても良い。あるいは、突条部を備えない平らな平面状にて形成しても良い。
【手続補正２３】
【補正対象書類名】明細書
【補正対象項目名】００４３
【補正方法】変更
【補正の内容】
【００４３】
（３）先の実施形態では、洗浄槽を引き出し移動方向Ｂ側へ引き出した開き状態において、蓋体の前記内面の前端部が引き出された洗浄槽の上部に重複するように構成させ、蓋体の内面の前端部から直接洗浄槽へ付着水を流下させるように構成した例を示したが、内面の前端部と引き出された洗浄槽の上部とを重複させることなく、樋などを介在させて蓋体の内面から洗浄槽へ付着水を流し込ませることもできる。
【手続補正２４】
【補正対象書類名】図面
【補正対象項目名】図１２
【補正方法】変更
【補正の内容】
【図１２】
2010279822.tif 000017
【手続補正２５】
【補正対象書類名】図面
【補正対象項目名】図１４
【補正方法】削除
【補正の内容】
【手続補正２６】
【補正対象書類名】図面
【補正対象項目名】図１３
【補正方法】削除
【補正の内容】